(57)【要約】【課題】ケーブルの挿通配置を容易に行えるケーブルガイド支持部構造を提供すること。【解決手段】ケーブルガイド固定ブラケット２０は、ケーブル２を挿通保持する筒状のガイド筒部２２と、車体本体にネジ止固定されるネジ止固定部３０とを備え、ガイド筒部２２の一端部にケーブルガイド４０を連結支持するケーブルガイド支持端部２６が形成されている。ガイド筒部２２をその軸方向に沿って分割すると共に、ネジ止固定部３０を２葉に分割するように、ケーブルガイド固定ブラケット２０が２つの分割ブラケット体２０Ａ，２０Ｂに分割されている。分割されたガイド筒部２２間にケーブル２を配設した状態で、分割されたネジ止固定部３０を重ね合せて車体本体にネジ止することで、両分割ブラケット体２０Ａ，２０Ｂが一体化される。【選択図】　　　　図２
2004104857.tif 000002
【特許請求の範囲】
【請求項１】
ケーブルを案内するケーブルガイドの端部を、所定の取付部材に固定支持するためのケーブルガイド支持部構造であって、
前記ケーブルガイドの端部から延出するケーブルが挿入ガイドされ、その一端部が前記ケーブルガイドの端部を連結支持するケーブルガイド支持端部に形成された筒状のガイド筒部と、ネジ止用孔を有し前記取付部材にネジ止固定されるネジ止固定部とを有するケーブルガイド固定ブラケットを備え、
前記ケーブルガイド固定ブラケットは、
前記ガイド筒部をその軸方向に沿って分割すると共に、前記ネジ止固定部を２葉に分割するように、２つの分割ブラケット体に分割されており、
前記分割されたガイド筒部間に前記ケーブルを配設した状態で、ネジを前記ネジ止用孔に挿通させて前記ネジ止固定部を前記取付部材側にネジ止めすることにより、２つの前記分割ブラケット体が一定的に組合わされた、ケーブルガイド支持部構造。
【請求項２】
請求項１記載のケーブルガイド支持部構造であって、
前記ケーブルガイド支持端部は、前記ケーブルガイド側の受孔に嵌まり込んで軸支される突軸部を有し、
前記突軸部をその軸方向に沿って分割するように、前記ケーブルガイド固定ブラケットが、２つの前記分割ブラケット体に分割されている、ケーブルガイド支持部構造。
【請求項３】
ケーブルをガイドするケーブルガイドの端部を、所定の取付部材に固定支持するためのケーブルガイド固定ブラケットであって、
前記ケーブルガイドの端部から延出するケーブルが挿入ガイドされ、その一端部が前記ケーブルガイドの端部を連結支持するケーブルガイド支持端部に形成された筒状のガイド筒部と、
ネジ止用孔を有するネジ止固定部と、
を備え、
前記ガイド筒部をその軸方向に沿って分割すると共に、前記ネジ止固定部を２葉に分割するように、２つの分割ブラケット体に分割された、ケーブルガイド固定ブラケット。
【発明の詳細な説明】
【０００１】
【発明の属する技術分野】
本発明は、スライドドア等に適用されるケーブルガイドを支持するためのケーブルガイド支持部構造及びケーブルガイド固定ブラケットに関する。
【０００２】
【背景の技術】
スライドドアに給電を行う技術として、スライドドアと車体本体との間にケーブルを配索すると共に、該ケーブルをケーブルガイド内に挿入配置したものが提案される。
【０００３】
上記ケーブルガイドの各端部は、固定ブラケットにより、車体本体又はスライドドアに固定されている。そして、車体本体側のケーブルが固定ブラケット内を通ってケーブルガイド内に挿通され、スライドドア側の固定ブラケット内を通ってスライドドアに導かれる。
【０００４】
上記ケーブルガイドは、スライドドアの開閉に伴うケーブルの屈曲形態を規制し、もって当該ケーブルが車体やスライドドア等の他部材に干渉しないようにする機能を果すものである。
【０００５】
【発明が解決しようとする課題】
しかしながら、上記提案例では、ケーブルを固定ブラケット内に挿通させる必要があるため、その挿通作業が繁雑である。
【０００６】
そこで、この発明の課題は、固定ブラケットへのケーブルの挿通配置を容易に行えるケーブルガイド支持部構造及びケーブルガイド固定ブラケットを提供することにある。
【０００７】
【課題を解決するための手段】
上記課題を解決すべく、請求項１記載の発明は、ケーブルを案内するケーブルガイドの端部を、所定の取付部材に固定支持するためのケーブルガイド支持部構造であって、前記ケーブルガイドの端部から延出するケーブルが挿入ガイドされ、その一端部が前記ケーブルガイドの端部を連結支持するケーブルガイド支持端部に形成された筒状のガイド筒部と、ネジ止用孔を有し前記取付部材にネジ止固定されるネジ止固定部と有するケーブルガイド固定ブラケットを備え、前記ケーブルガイド固定ブラケットは、前記ガイド筒部をその軸方向に沿って分割すると共に、前記ネジ止固定部を２葉に分割するように、２つの分割ブラケット体に分割されており、前記分割されたガイド筒部間に前記ケーブルを配設した状態で、ネジを前記ネジ止用孔に挿通させて前記ネジ止固定部を前記取付部材側にネジ止めすることにより、２つの前記分割ブラケット体が一定的に組合わされたものである。
【０００８】
なお、請求項２記載のように、前記ケーブルガイド支持端部は、前記ケーブルガイド側の受孔に嵌まり込んで軸支される突軸部を有し、前記突軸部をその軸方向に沿って分割するように、前記ケーブルガイド固定ブラケットが、２つの前記分割ブラケット体に分割されていてもよい。
【０００９】
また、請求項３記載の発明は、ケーブルをガイドするケーブルガイドの端部を、所定の取付部材に固定支持するためのケーブルガイド固定ブラケットであって、前記ケーブルガイドの端部から延出するケーブルが挿入ガイドされ、その一端部が前記ケーブルガイドの端部を連結支持するケーブルガイド支持端部に形成された筒状のガイド筒部と、ネジ止用孔を有するネジ止固定部とを備え、前記ガイド筒部をその軸方向に沿って分割すると共に、前記ネジ止固定部を２葉に分割するように、２つの分割ブラケット体に分割されたものである。
【００１０】
【発明の実施の形態】
以下、この発明の実施の形態に係るケーブルガイド支持部構造について説明する。
【００１１】
図１は、ケーブルガイド支持部構造の一適用例を示す概略図である。図１において、位置Ｐ１はスライドドアＳＤが完全に閉鎖された状態（全閉状態）を示しており、位置Ｐ２はスライドドアＳＤが一部開放された状態（半開状態）を示しており、位置Ｐ３はスライドドアＳＤが完全に開放された状態（全開状態）を示している。
【００１２】
すなわち、このケーブルガイド支持部構造は、ケーブル２（図２参照）を案内するケーブルガイド４０の端部を、所定の取付部材である車両の車体本体Ｂに固定支持するためのものである。
【００１３】
ここで、スライドドアＳＤは、車両の車体本体Ｂに対して、所定のスライド移動方向Ｑに沿って移動自在に設けられている。これらの車体本体ＢとスライドドアＳＤとの間にケーブル２が配索される。このケーブル２は、スライドドアＳＤへの給電用の電線及びスライドドアＳＤと車体本体Ｂ間での信号送受用の電線を少なくとも一つ含んでいる。
【００１４】
このケーブル２は、ケーブルガイド４０内に挿入保持された状態で、スライドドアＳＤと車体本体Ｂとの間に配索されている。なお、ケーブルガイド４０は屈曲自在なチューブ４２内に挿通配置されている。
【００１５】
ケーブルガイド４０は、線状に連結された複数のリンク部材（駒部材）３によって構成されており、その一端部がケーブルガイド固定ブラケット２０により車体本体Ｂ側に固定支持されると共に、その他端部がドア側固定ブラケット１８によりスライドドアＳＤに固定支持されている。
【００１６】
このケーブルガイド４０において、各リンク部材３の屈曲態様は所定方向に規定されている。これにより、スライドドアＳＤの開閉に伴ってケーブル２が周辺部材に干渉しないように所定の態様で屈曲するように、該ケーブル２の屈曲ガイドを行う。
【００１７】
このケーブルガイド４０を車体本体Ｂに固定支持するため、本ケーブルガイド支持部構造は、ケーブルガイド固定ブラケット２０を備えている。
【００１８】
図２は、ケーブルガイド固定ブラケット２０を示す斜視図である。
【００１９】
まず、このケーブルガイド固定ブラケット２０の基本的な構成を説明すると、本ケーブルガイド固定ブラケット２０は、樹脂等により形成されており、ガイド筒部２２と、ケーブルガイド支持端部２６と、ネジ止固定部３０とを備えている。
【００２０】
ガイド筒部２２は、ケーブルガイド４０の一端部から延出するケーブル２を挿入ガイド可能な略筒状に形成されている。
【００２１】
より具体的には、ガイド筒部２２は、側面視略Ｚ字状に屈曲する略筒状に形成されている。そして、このケーブルガイド固定ブラケット２０を車体本体Ｂに取付けた状態で、ガイド筒部２２の一端部が車体本体Ｂの内方を指向すると共に、ガイド筒部２２の他端部が車体本体Ｂの外方、即ち、スライドドアＳＤ側を指向するようになっている。これにより、車体本体Ｂ側より取り回されたケーブル２がガイド筒部２２内を通って車体本体Ｂの外方へ引出されるようになっている。
【００２２】
このガイド筒部２２の他端部に、ケーブルガイド支持端部２６が形成されている。ケーブルガイド支持端部２６は、ケーブルガイド４０の端部を連結支持可能に構成されている。
【００２３】
より具体的には、ケーブルガイド支持端部２６は、一対の支持片２７と、突軸部２８とを有している。
【００２４】
一対の支持片２７は、ガイド筒部２２の他端部の両側部から所定間隔有して平行に延設形成されている。また、これら支持片２７の外側面の略中央部に外方に突出するようにして上記突軸部２８が形成されている。一方、ケーブルガイド４０の車両本体Ｂ側のリンク部材３の端部に上記支持片２７の外側面側に密接状に配設可能な一対の連結支持片４が設けられると共に、該一対の連結支持片４に、上記突軸部２８を嵌め込み軸支可能な受孔４ｈが形成されている。
【００２５】
そして、上記各突軸部２８を対応する各受孔４ｈ内に嵌め込むことで、該ケーブルガイド４０の他端部のリンク部材３がケーブルガイド支持端部２６に屈曲自在に連結固定されることとなる。また、この状態で、ガイド筒部２２内に挿入されたケーブル２は、一対の支持片２７間を通って直接的にケーブルガイド４０内に導入されることとなる。
【００２６】
ネジ止固定部３０は、ネジ止用孔３２ｈ，３３ｈを有しており、取付部材である車体本体Ｂにネジ止固定可能に形成されている。
【００２７】
具体的には、ネジ止固定部３０は、上記ガイド筒部２２の中間部から両側外方に向けて延びる厚板状に形成されている。ネジ止固定部３０のうちガイド筒部２２を挟んで両側の位置に、その厚み方向に貫通する２つのネジ止用孔３２ｈ，３３ｈが形成されている。そして、ネジ止固定部３０の一方側面を車体本体Ｂの所定の取付部分に密接状に配設した状態で、２つのネジＳを各ネジ止用孔３２ｈ，３３ｈに挿通させて該取付部分にネジ止することにより、本ケーブルガイド固定ブラケット２０が車体本体Ｂの所定位置に取付固定される構成となっている。
【００２８】
なお、一方側のネジ止用孔３２ｈは、該ネジ止用孔３２ｈ，３３ｈの配列方向に沿って延びる長孔状に形成されており、ネジ止用孔３２ｈ，３３ｈやネジ孔の形成位置等に関する誤差を吸収し得るようになっている。
【００２９】
本実施の形態では、上述のケーブルガイド固定ブラケット２０が、次の態様にて上下２つの分割ブラケット体２０Ａ，２０Ｂに分割されている。
【００３０】
図３〜図７は上側の分割ブラケット体２０Ａを示す図であり、図８〜図１１は下側の分割ブラケット体２０Ｂを示す図である。なお、説明の便宜上、各図に上下左右前後を示してある。
【００３１】
図２〜図１１に示すように、ガイド筒部２２は、その軸方向に沿って２つの分割ガイド筒部２２Ａ，２２Ｂに分割されている。また、ガイド筒部２２の一端部のケーブルガイド支持端部２６は、突軸部２８をその軸方向に沿って分割するように、２つの分割支持端部２６Ａ，２６Ｂに分割されている。
【００３２】
より具体的には、上側の分割ガイド筒部２２Ａは、ガイド筒部２２の他端部（ネジ止固定部３０よりも上方に突出する側の端部）の上半部を構成する部分と、ガイド筒部２２の中間部（ネジ止固定部３０を上下に貫通する部分）の後半部を構成する部分とが一体形成されてなる。また、この分割ガイド筒部２２Ａの一端部（ネジ止固定部３０よりも下方に突出する側の端部）に、分割支持端部２６Ａが形成されている。この分割支持端部２６Ａは、支持片２７を、突軸部２８を上下に２つの分割突軸部２８Ａ，２８Ｂに分割するラインに沿って２つに分割したうちの上半部により構成されている。また、下側の分割ガイド筒部２２Ｂは、ガイド筒部２２の他端部の下半部を構成する部分と、ガイド筒部２２の中間部の前半部を構成する部分とが一体形成されてなる。この分割ガイド筒部２２Ｂの一端部に、分割支持端部２６Ｂが形成されている。この分割支持端部２６Ｂは、支持片２７を、突軸部２８を上下に２つの分割突軸部２８Ａ，２８Ｂ分割するラインに沿って２つに分割したうちの下半部分により構成されている。
【００３３】
そして、下側の分割ガイド筒部２２Ｂに覆い被せるようにして上側の分割ガイド筒部２２Ａを組付けて合体させることで、図２に示す筒状のガイド筒部２２が組立てられることとなる。
【００３４】
また、ネジ止固定部３０は、上下２葉の分割ネジ止固定部３０Ａ，３０Ｂに分割されている。
【００３５】
より具体的には、上側の分割ネジ止固定部３０Ａは、上記分割ガイド筒部２２Ａと一体形成され、下側の分割ネジ止固定部３０Ｂよりも一回り大きくなっており、その内部に下向きに開口する収容凹部３１Ａが形成されている。この分割ネジ止固定部３０Ａの両側部に一対のボス部３２Ａ，３３Ａが形成されており、該ボス部３２Ａ，３３Ａ内に上下に貫通するようにして上記一対のネジ止用孔３２ｈ，３３ｈが形成されている。下側の分割ネジ止固定部３０Ｂは、上記分割ガイド筒部２２Ｂと一体形成され、上記収容凹部３１Ａ内に収容可能な形状に形成されている。この分割ネジ止固定部３０Ｂには、上記ボス部３２Ａ，３３Ａを挿入可能なボス挿通孔３２Ｂｈ，３３Ｂｈが形成されている。そして、各ボス部３２Ａ，３３Ａをボス挿通孔３２Ｂｈ，３３Ｂｈ内に挿入するようにして、下側の分割ネジ止固定部３０Ａを上側の分割ネジ止固定部３０Ｂの収容凹部３１Ａ内に収容配置すると、上下２葉の分割ネジ止固定部３０Ａ，３０Ｂが重ね合せ状に配設される。
【００３６】
このように２葉の分割ネジ止固定部３０Ａ，３０Ｂを重ね合せ状に配設した態様では、２つの分割ガイド筒部２２Ａ，２２Ｂも組合せ合体化され、筒状のガイド筒部２２を構成している。
【００３７】
このように構成されたケーブルガイド固定ブラケット２０を車体本体Ｂに取付ける手順について説明する。
【００３８】
まず、下側の分割ブラケット体２０Ｂの分割ガイド筒部２２Ｂ内にケーブル２を配設した状態で、下側の分割ガイド筒部２２Ｂに上側の分割ガイド筒部２２Ａを覆い被せると共に、上下２葉の分割ネジ止固定部３０Ａ，３０Ｂを重ね合せるように、上下の分割ブラケット体２０Ａ，２０Ｂを組合わせる。これにより、ケーブル２がガイド筒部２２内に挿通配置される。
【００３９】
なお、ケーブル２は、ガイド筒部２内に挿通配置する前の段階又は後の段階で、適宜ケーブルガイド２内に挿通される。
【００４０】
この状態で、ケーブルガイド支持端部２６の分割突軸部２８Ａ，２８Ｂを組合せて各突軸部２８をケーブルガイド４０の各受孔４ｈ内に嵌め込んで当該各受孔４ｈに軸支させる。これにより、該ケーブルガイド４０の他端部のリンク部材３がケーブルガイド支持端部２６に屈曲自在に連結固定されることとなる。また、上下に分割された分割突軸部２８Ａ，２８Ｂが組合わされた形態で各受孔４ｈ内に嵌め込まれることとなり、上下の分割ブラケット体２０Ａ，２０Ｂが仮状態に一体化される。
【００４１】
次に、ネジ止固定部３０の下面を車体本体Ｂの所定の取付部分に密接状に配設した状態で、図示省略の２つのネジＳを各ネジ止用孔３２ｈ，３３ｈに挿通させて該取付部分側に螺合させてネジ止固定部３０をネジ止する。これにより、本ケーブルガイド固定ブラケット２０が該ネジ止固定部３０を介して車体本体Ｂにネジ止固定されることとなる。また、この状態では、ネジＳのネジ頭と車体本体Ｂの取付部分との間に、上下の分割ネジ止固定部３０Ａが挟込まれるようにして一体化され、上下の分割ブラケット体２０Ａ，２０Ｂも一体的に組合わされた形態となっている。
【００４２】
なお、ネジ止固定部３０を、ネジＳを用いて車体本体Ｂにネジ止固定した後に、ケーブルガイド４０の他端部のリンク部材３をケーブルガイド支持端部２６に連結固定しても差支えはない。
【００４３】
以上のように構成されたケーブルガイド支持部構造によると、ガイド筒部２２がその軸方向に沿って分割されているので、ケーブル２を当該ガイド筒部２２内に容易に挿通配置することができる。
【００４４】
また、ネジ止固定部３０が２葉に分割されているため、それらを重ね合せて車体本体Ｂにネジ止することにより、２つの分割ブラケット体２０Ａ，２０Ｂを容易に組合せて一体化することができる。
【００４５】
しかも、突軸部２８もその軸方向に沿って分割されているため、その突軸部２８をケーブルガイド４０側の受孔４ｈに嵌め込み軸支させることにより、分割ブラケット体２０Ａ，２０の組合せ一体化形態がより確実に保たれる。
【００４６】
加えて、ケーブルガイド固定ブラケット２０を車体本体Ｂに取付ける段階で、ケーブル２をケーブルガイド固定ブラケット２０に挿通保持させることができるため、組立の自由度に優れる。
【００４７】
また、上述の取付手順のように、突軸部２８を受孔４ｈに嵌め込んで仮状態に一体化した後、ネジ止固定部３０を車体本体Ｂにネジ止することができるため、本ケーブルガイド固定ブラケット２０の取付を容易に行える。
【００４８】
【発明の効果】
以上のように、この発明の請求項１記載のケーブルガイド支持部構造によると、ガイド筒部がその軸方向に沿って分割されているので、ケーブルを当該ガイド筒部内に容易に挿通配置することができる。
【００４９】
また、ネジ止固定部が２葉に分割されているため、それらを重ね合せるように配設して取付部材にネジ止することにより、２つの分割ブラケット体を容易に組合せて一体化することができる。
【００５０】
また、請求項２記載の発明によれば、突軸部もその軸方向に沿って分割されているため、その突軸部をケーブルガイド側の受孔に嵌め込み軸支させることにより、分割ブラケット体の組合せ一体化形態がより確実に保たれる。
【００５１】
さらに、請求項３記載のケーブルガイド固定ブラケットによると、ガイド筒部がその軸方向に沿って分割されているので、ケーブルを当該ガイド筒部内に容易に挿通配置することができる。
【００５２】
また、ネジ止固定部が分割されているため、それらを重ね合せて取付部材にネジ止することにより、２つの分割ブラケット体を容易に組合せて一体化することができる。
【図面の簡単な説明】
【図１】この発明の実施の形態に係るケーブルガイド支持部構造が車両本体とスライドドア間に配索されたケーブルについて適用された例を示す概略図である。
【図２】ケーブルガイド固定ブラケットを示す斜視図である。
【図３】上側の分割ブラケット体を示す平面図である。
【図４】同上の分割ブラケット体を示す右側面図である。
【図５】同上の分割ブラケット体を示す左側面図である。
【図６】同上の分割ブラケット体を示す背面図である。
【図７】同上の分割ブラケット体を示す底面図である。
【図８】下側の分割ブラケット体を示す平面図である。
【図９】同上の分割ブラケット体を示す右側図である。
【図１０】同上の分割ブラケット体を示す左側図である。
【図１１】同上の分割ブラケット体を示す背面図である。
【符号の説明】
２　ケーブル
３　リンク部材
４　連結支持片
４ｈ　受孔
２０　ケーブルガイド固定ブラケット
２０Ａ，２０Ｂ　分割ブラケット体
２２　ガイド筒部
２２Ａ，２２Ｂ　分割ガイド筒部
２６　ケーブルガイド支持端部
２６Ａ，２６Ｂ　分割支持端部
２７　支持片
２８　突軸部
３０　ネジ止固定部
３０Ａ，３０Ｂ　分割ネジ止固定部
３２ｈ，３３ｈ　ネジ止用孔
４０　ケーブルガイド
Ｂ　車体本体
ＳＤ　スライドドア
【図１】
2004104857.tif 000003
【図２】
2004104857.tif 000004
【図３】
2004104857.tif 000005
【図４】
2004104857.tif 000006
【図５】
2004104857.tif 000007
【図６】
2004104857.tif 000008
【図７】
2004104857.tif 000009
【図８】
2004104857.tif 000010
【図９】
2004104857.tif 000011
【図１０】
2004104857.tif 000012
【図１１】
2004104857.tif 000013